(57)【特許請求の範囲】
【請求項１】
底部と該底部の３辺から垂直に立設された側壁とからなるボックスパレット本体と、連結部材を介して上部扉部と下部扉部とに分割された扉とからなるボックスパレットであって、ボックスパレット本体の開口部の両側に縦長溝及び板状の補助壁を形成するとともに、上部扉部及び下部扉部の両側に、上記補助壁が挿入可能な縦長溝を形成し、更に、上記上部扉部及び下部扉部には、上記ボックスパレット本体に形成された縦長溝に挿入される板状の外側壁が形成されており、なお更に、上記ボックスパレット本体に形成された補助壁にスリットを形成するとともに、上記ボックスパレット本体に形成された縦長溝に水平枠を形成し、一方、上部扉部に形成された外側壁に、上記ボックスパレット本体に形成された水平枠が挿入可能なスリットを形成し、且つ、上部扉部の縦長溝に、上記ボックスパレット本体の補助壁に形成されたスリットに挿入可能な水平枠を形成したことを特徴とするボックスパレット。
【請求項２】
ボックスパレット本体の開口部の両側に形成された縦長溝の巾が、下方が広く、上方に行くにしたが手、暫時、狭くなるように構成されていることを特徴とする請求項１に記載のボックスパレット。
【請求項３】
ボックスパレット本体の開口部を逆台形状にしたことを特徴とする請求項１又は請求項２に記載のボックスパレット。
【発明の詳細な説明】
【０００１】
【発明の属する技術分野】
本発明は、パレットの上面を囲むように、４つの側壁が形成された、所謂、ボックスパレットに関するものである。
【０００２】
【従来の技術】
従来、ボックスパレットの１つの側壁の上半分に扉を設けて、該扉から、ボックスパレットに収容された物品の出し入れを行うようにしたボックスパレット（特公平６−３３０８６号公報等）や、１つの側壁を、該側壁の下端部に形成されたヒンジを中心に回動させることにより、１つの側壁部分の全体を開口するようにしたボックスパレット（実用新案登録第２５００２７４号公報等）が知られている。
【０００３】
【発明が解決しようとする課題】
ボックスパレットの１つの側壁の上半分に扉を設けたものは、該扉が配設された側壁の下半分が、収容された物品の出し入れの邪魔になり、物品の出し入れの作業性が悪いという問題がある。また、１つの側壁部分の全体を開口するようにしたボックスパレットにおいては、開口される側壁の重量に耐え得るほど、該側壁の下端部に配設されたヒンジが、強度的に十分でないために、ヒンジが損傷し、従って、ボックスパレットの耐久性が悪いという問題がある。
【０００４】
また、従来のボックスパレットにおいては、扉が形成された側壁が、扉を設けたために強度的に弱く、また、扉や扉が形成された側壁に変形等があると、扉の開閉作業がうまく行えないという問題がある。
【０００５】
更に、従来のボックスパレットにおいては、ボックスパレットの内部の隅部や側壁の角部等が角張っているので、ボックスパレットに収容されている、建築現場で使用されている防護カバーや漁業用網等を取り出す際に、防護カバーや漁業用網等が、ボックスパレットの内部の隅部や側壁の角部等に引っ掛かり、従って、防護カバーや漁業用網等のボックスパレットからの取り出し作業性が悪いという問題がある。
【０００６】
更にまた、従来のボックスパレットにおいては、ボックスパレットに収容された物品による内圧により、扉を開閉するためのヒンジが損傷したり、或いは、ボックスパレットに収容された物品による内圧により、扉が、外側に膨出するという問題がある。
【０００７】
本発明の目的は、上述した従来のボックスパレットが有する課題を解決し、物品の出し入れ作業性の向上した、且つ、耐久性の優れたボックスパレットを提供することにある。
【０００８】
【課題を解決するための手段】
本発明は、上述した目的を達成するために、第１には、底部と該底部の３辺から垂直に立設された側壁とからなるボックスパレット本体と、連結部材を介して上部扉部と下部扉部とに分割された扉とからなるボックスパレットであって、ボックスパレット本体の開口部の両側に縦長溝及び板状の補助壁を形成するとともに、上部扉部及び下部扉部の両側に、上記補助壁が挿入可能な縦長溝を形成し、更に、上記上部扉部及び下部扉部には、上記ボックスパレット本体に形成された縦長溝に挿入される板状の外側壁が形成されており、なお更に、上記ボックスパレット本体に形成された補助壁にスリットを形成するとともに、上記ボックスパレット本体に形成された縦長溝に水平枠を形成し、一方、上部扉部に形成された外側壁に、上記ボックスパレット本体に形成された水平枠が挿入可能なスリットを形成し、且つ、上部扉部の縦長溝に、上記ボックスパレット本体の補助壁に形成されたスリットに挿入可能な水平枠を形成したものであり、第２には、ボックスパレット本体の開口部の両側に形成された縦長溝の巾が、下方が広く、上方に行くにしたが手、暫時、狭くなるように構成したものであり、第３には、ボックスパレット本体の開口部を逆台形状にしたものである。
【０００９】
【実施例】
先ず最初に、図１〜図３を用いて、本発明のボックスパレットＢの全体構成について説明する。
【００１０】
ボックスパレットＢは、平面形状が方形状の底部１と該底部１の３辺から略垂直に立設された側壁２とからなるボックスパレット本体Ｂ１及び側壁２が設けられていない底部１に回動自在に配設された扉Ｂ２とから構成されており、扉Ｂ２は、上部扉部Ｂ２’と下部扉部Ｂ２”とに、後述する連結部材を介して分割されており、上部扉部Ｂ２’と下部扉部Ｂ２”とは、折り畳んで重なり合うことができるように構成されている。
【００１１】
扉Ｂ２は、図１に示されているように、ボックスパレット本体Ｂ１の側壁２が設けられていない側を閉鎖するように、後述するロック部材により、ボックスパレット本体Ｂ１に固定可能に構成されている。また、図２に示されているように、上部扉部Ｂ２’のロック部材によるロックを解除して、上部扉部Ｂ２’を、下部扉部Ｂ２”に重ねるように回動させることにより、扉Ｂ２の上半分を開口することができ、更には、図３に示されているように、扉Ｂ２全体を、略水平状に倒すことにより、ボックスパレットＢの１つ側面を開口することができるように構成されている。
【００１２】
次に、図３及び図４〜図６を用いて、ボックスパレット本体Ｂ１への扉Ｂ２のの取り付け手段について説明する。
【００１３】
ボックスパレット本体Ｂ１の底部１の開口側の上部角部には、所定の間隔を置いて、底部１の垂直側面１ａ側と上面１ｂ側が開放された凹部３が形成されており、該凹部３の相対する側部には、それぞれ、相対する面及び上面が開放された縦溝４が形成されている。
【００１４】
一方、下部扉部Ｂ２”には、ボックスパレット本体Ｂ１の底部１に形成された凹部３に対応して、係止部材５が、下部扉部Ｂ２”の下面６（下部扉部Ｂ２”を図１或いは図２に示されているように、垂直に立てた場合に、底部１に当接する面を下面と称する。なお、以下において、該下面と相対する面を上面と称し、また、ボックスパレットＢの内側に面する面を内壁面及びボックスパレットＢの外側に面する外壁面と称する。）に配設されている。係止部材５は、下部扉部Ｂ２”の下面６に、所定の間隔を置いて垂設された一対の板状の係合枠５ａを有しており、係合枠５ａの相対する側部には、それぞれ、相対する面５ｂ側及び下部扉部Ｂ２”の外壁面７側が開放された係止凹部５ｃが形成されており、更に、係合枠５ａの相対する面５ｂと反対側の外面５ｄには、底部１の凹部３の相対する側部に形成された縦溝４に挿入されるピン５ｅが突設されている。
【００１５】
８は、水平部８ａと垂直部８ｂとからなる、略Ｔ字状に形成された係止ブロックであり、垂直部８ｂは、係止部材５の一対の係合枠５ａの間隙に挿入可能に構成されており、また、水平部８ａの両端部の角部には、切り欠き８ｃが形成されて係止突起８ｄが設けられている。
【００１６】
下部扉部Ｂ２”を、ボックスパレット本体Ｂ１に取り付けるには、先ず最初に、底部１の凹部３の相対する側部に形成された縦溝４に、係止部材５の係合枠５ａの外面５ｄに突設されたピン５ｅを挿入する。次いで、係止部材５の一対の係合枠５ａの間隙に、係止ブロック８の垂直部８ｂを挿入するとともに、係止ブロック８の水平部８ａの両端部を、係止部材５の係止凹部５ｃに挿入する。係止部材５の係止凹部５ｃを形成する垂直壁の上端部には、庇部５ｆが突設されており、係止ブロック８を、一対の係止部材５の間隙に挿入することにより、該庇部５ｆに下面に、係止ブロック８の水平部８ａの両端部に形成された係止突起８ｄが入り込み、係止ブロック８が、一対の係止部材５の間隙から簡単に、抜け出ないように構成されている。また、係止ブロック８を、一対の係合枠５ａの間隙に挿入することにより、係止ブロック８が、一種のストッパーとして機能し、係止部材５の係合枠５ａが、互いに接近する方向に移動しないように構成されており、従って、下部扉部Ｂ２”の係止部材５に突設されたピン５ｅが、底部１の凹部３から、底部１の垂直側面１ａに対して垂直方向に、抜け出ないように構成されている。上部扉部Ｂ２’と下部扉部Ｂ２”とからなる扉Ｂ２は、合成樹脂で成型されており、その重量も重いので、下部扉部Ｂ２”の係止部材５に突設されたピン５ｅが、底部１の凹部３の上方から抜け出るようなことはない。
【００１７】
上述したように、底部１の開口側の上部角部に形成された凹部３と、該凹部３の相対する側部に形成された縦溝４と、下部扉部Ｂ２”の下面に垂設された一対の係合枠５ａと該係合枠５ａの相対する面５ｂと反対側の外面５ｄに突設された、縦溝４に挿入されるピン５ｅとを有する係止部材５と、該係止部材５の係合枠５ａの間隙に挿入される係止ブロック８とにより、ボックスパレット本体Ｂ１に下部扉部Ｂ２”を取り付けるようにしたので、扉Ｂ２を回動して、ボックスパレットＢの１側面を開ける際に、図３に示されているように、扉Ｂ２を略水平に倒すことができ、略水平に倒された扉Ｂ２と底部１との間に段差が形成されることがなく、従って、ボックスパレットＢの１側面を完全に開けることができ、扉Ｂ２が、ボックスパレットＢに収容された物品の出し入れの邪魔になるようなことが防止できる。
【００１８】
次に、主として、図２、図７及び図８を用いて、上部扉部Ｂ２’と下部扉部Ｂ２”との連結手段について説明する。
【００１９】
下部扉部Ｂ２”の上面側の端部には、所定の間隔を置いて、下部扉部Ｂ２”のの厚さを貫通した凹部９が形成されており、該凹部９を形成することにより、凹部９の間には、凸状突起部１０が形成されている。凸状突起部１０の内壁面１１側の上端部角部には切り欠き部１２が形成されており、従って、凸状突起部１０の上端部には薄肉部１０ａが形成されている。また、隣接する凸状突起部１０間の凹部９には、水平杆１３が架橋されている。
【００２０】
上部扉部Ｂ２’の下面（下部扉部Ｂ２”の上面に相対する面）１４と外壁面１５とによって形成される角部には、下部扉部Ｂ２”に形成された凹部９に対応して、窪み部１６が形成されており、従って、上部扉部Ｂ２’の下面１４側には、所定の間隔をおいて、薄肉壁１７が形成されることになる。上部扉部Ｂ２’の下面１４側に、所定の間隔をおいて薄肉壁１７を形成することにより、薄肉壁１７の両側には厚肉壁１８が形成され、相対する厚肉壁１８の壁面１８ａ間には、水平杆１９が架橋されている。２０は、薄肉壁１７に穿設された窓部である。また、上部扉部Ｂ２’の厚肉壁１８の外壁面１５側の先端部角部には、下部扉部Ｂ２”の凸状突起部１０の内壁面１１側の上端部角部に形成された切り欠き部１２と同様の切り欠き部を形成することにより、厚肉壁１８の先端部には、薄肉壁１７と同じ肉厚の薄肉部が形成されている。
【００２１】
２１は、下部扉部Ｂ２”側の水平杆１３と上部扉部Ｂ２’側の水平杆１９の直径の略半分が挿入可能な２条の溝部２１ａが形成された、半割り状態の一対の連結具である。
【００２２】
上部扉部Ｂ２’と下部扉部Ｂ２”とを連結する際には、先ず最初に、下部扉部Ｂ２”の凹部９に架橋された水平杆１３と、上部扉部Ｂ２’の厚肉壁１８の壁面１８ａ間に架橋された水平杆１９とが相対するように、上部扉部Ｂ２’と下部扉部Ｂ２”とを並設し、次いで、一対の連結具２１の２条の溝部２１ａに、下部扉部Ｂ２”の水平杆１３と上部扉部Ｂ２’の水平杆１９を挿入するとともに、一対の連結具２１を、図示されていないボルト・ナット等の固着手段により連結したり、或いは、一対の連結具２１の接合面に接着剤を塗布して、一対の連結具２１を接着したり、或いは、一対の連結具２１の接合面を溶融し、接合した後、冷却することにより、溶融接合する等して、一対の連結具２１を介して、上部扉部Ｂ２’と下部扉部Ｂ２”とを連結する。
【００２３】
上述したように、下部扉部Ｂ２”の上面に形成された複数の凸状突起部１０と、該凸状突起部１０間に架橋された水平杆１３と、上部扉部Ｂ２’の下面１４に形成された複数の薄肉壁１７と、該薄肉壁１７に隣接した厚肉壁１８と、該厚肉壁１８間に架橋された水平杆１９とを設け、上記下部扉部Ｂ２”と上部扉部Ｂ２’とを、上記凸状突起部１０間に架橋された水平杆１３と厚肉壁１８間に架橋された水平杆１９とを連結する連結具２１を介して連結するようにしたので、図２及図８（ｂ）に示されているように、下部扉部Ｂ２”と上部扉部Ｂ２’とを重なるように折り畳むことができるので、上部扉部Ｂ２’のみを回動させて、扉Ｂを半開きにした際にも、ボックスパレットＢへより接近することができ、従って、ボックスパレットＢに収容された物品の出し入れ作業の作業性が向上する。
【００２４】
図２或いは図８（ｂ）に示されているように、上部扉部Ｂ２’を、下部扉部Ｂ２”に重ねるように回動させることにより、扉Ｂ２の上半分を開放した状態から、上部扉部Ｂ２’を上方に回動させると、図８（ａ）に示されているように、上部扉部Ｂ２’の薄肉壁１７及び厚肉壁１８の先端部に形成された薄肉部が、下部扉部Ｂ２”の凸状突起部１０の内壁面１１側の上端部角部に形成された切り欠き部１２に嵌まり込むとともに、下部扉部Ｂ２”の内壁面１１と上部扉部Ｂ２’の内壁面２２とが、略面一になるように構成されている。また、上部扉部Ｂ２’の薄肉壁１７及び厚肉壁１８の先端部に形成された薄肉部が、下部扉部Ｂ２”の凸状突起部１０の内壁面１１側の上端部角部に形成された切り欠き部１２に嵌まり込むように構成されているので、ボックスパレットＢに収容された物品により、ボックスパレットＢの内側から、下部扉部Ｂ２”の内壁面１１と上部扉部Ｂ２’の内壁面２２に負荷が加わっても、下部扉部Ｂ２”及び上部扉部Ｂ２’が、外方向に膨出するようなことが防止できるとともに、下部扉部Ｂ２”及び上部扉部Ｂ２’の外方向への膨出により、連結具２１や水平杆１３、１９が破損するようなことが防止できる。
【００２５】
次に、図３、図４、図９及び図１０を用いて、ボックスパレット本体Ｂ１と、下部扉部Ｂ２”及び上部扉部Ｂ２’との嵌合手段について説明する。
【００２６】
ボックスパレット本体Ｂ１の相対する側壁２の開口側には、支柱２ａが、該側壁２と一体に形成されており、支柱２ａの相対する側面２ｂには、支柱２ａの高さ方向に沿って、ボックスパレット本体Ｂ１の外側に向かって開口された縦長溝２ｃが形成されている。相対する側壁２は同じ構造を有しているので、縦長溝２ｃの構造については、主として、一方の側壁２の支柱２ａに形成された縦長溝２ｃを用いて説明する。
【００２７】
縦長溝２ｃは、側面２ｂと、該側面２ｂに対して垂直な奥壁２ｄと、側面２ｂに平行な補助壁２ｅとにより構成されている。また、補助壁２ｅの上部領域には、所定の間隔を置いて、開口側の巾が広く、奥壁２ｄ方向に行くにしたがって巾が徐々に狭まったスリット２ｅ’が設けられており、該スリット２ｅ’間に形成される、補助壁２ｅを構成する略台形状の壁部２ｅ”の略中間部と側面２ｂとの間には、水平枠２ｆが形成されている。本実施例においては、補助壁２ｅの上部領域に、４つのスリット２ｅ’が設けられ、３個の略台形状の壁部２ｅ”が形成されている例が示されている。
【００２８】
下部扉部Ｂ２”の両側には、ボックスパレットＢの内側方向が開口された縦長溝２３が形成されており、下部扉部Ｂ２”の両側には、該縦長溝２３を構成する板状の外側壁２３ａが形成されている。同様に、上部扉部Ｂ２’の両側にも、ボックスパレットＢの内側方向が開口された縦長溝２４が形成されている。上部扉部Ｂ２’の縦長溝２４を構成する板状の外側壁２４ａの上部領域には、所定の間隔を置いて、開口側の巾が広く、奥壁２４ｂ方向に行くにしたがって巾が徐々に狭まったスリット２４ａ’が設けられており、該スリット２４ａ’間に形成された、外側壁２４ａを構成する略台形状の壁部２４ａ”の略中間部と、該外側壁２４ａと相対する上部扉部Ｂ２’の側面２４ｃとの間には、水平枠２４ｄが形成されている。本実施例においては、外側壁２４ａの上部領域に、３つのスリット２４ａ’が設けられ、２個の略台形状の壁部２４ａ”が形成されている例が示されている。
【００２９】
図３に示されている扉Ｂ２が、略水平状に倒されて、ボックスパレットＢの１つ側面が開口された状態から、ボックスパレット本体Ｂ１の開口部を閉鎖するために、扉Ｂ２をボックスパレット本体Ｂ１方向に回動させると、先ず最初に、下部扉部Ｂ２”の両側に形成された外側壁２３ａが、該外側壁２３ａの下方から順次、ボックスパレット本体Ｂ１の支柱２ａに形成された縦長溝２ｃに挿入されるとともに、ボックスパレット本体Ｂ１の支柱２ａに形成された補助壁２ｅが、該補助壁２ｅの下方から順次、下部扉部Ｂ２”に形成された縦長溝２３に挿入されるように構成されている。
【００３０】
次いで、同様に、上部扉部Ｂ２’の両側に形成された外側壁２４ａが、該外側壁２４ａの下方から順次、ボックスパレット本体Ｂ１の支柱２ａに形成された縦長溝２ｃに挿入されるとともに、ボックスパレット本体Ｂ１の支柱２ａに形成された補助壁２ｅが、該補助壁２ｅの下方から順次、上部扉部Ｂ２’に形成された縦長溝２４に挿入されるように構成されている。また、上部扉部Ｂ２’に形成された水平枠２４ｄが、ボックスパレット本体Ｂ１の補助壁２ｅに形成されたスリット２ｅ’に挿入されるように構成されている。スリット２ｅ’は、上述したように、開口側の巾が広く、奥壁２ｄ方向に行くにしたがって巾が徐々に狭まったスリット２ｅ’として形成されているので、スリット２ｅ’への上部扉部Ｂ２’に形成された水平枠２４ｄの挿入が容易となる。同様に、ボックスパレット本体Ｂ１に形成された水平枠２ｆが、上部扉部Ｂ２’の外側壁２４ａに形成されたスリット２４ａ’に挿入されるように構成されている。スリット２４ａ’も、開口側の巾が広く、奥壁２４ｂ方向に行くにしたがって巾が徐々に狭まったスリット２４ａ’として形成されているので、スリット２４ａ’へのボックスパレット本体Ｂ１に形成された水平枠２ｆの挿入が容易となる。
【００３１】
上述したように、下部扉部Ｂ２”及び上部扉部Ｂ２’に形成された外側壁２３ａ、２４ａが、ボックスパレット本体Ｂ１の支柱２ａに形成された縦長溝２ｃに挿入されるとともに、ボックスパレット本体Ｂ１の支柱２ａに形成された補助壁２ｅが、下部扉部Ｂ２”及び上部扉部Ｂ２’に形成された縦長溝２３、２４に挿入されるように構成されているので、ボックスパレット本体Ｂ１の扉Ｂ２による閉鎖を、確実に、且つ、迅速に、行うことができるとともに、下部扉部Ｂ２”及び上部扉部Ｂ２’の横方向の揺れを防止することができるので、安定した状態で、ボックスパレット本体Ｂ１を扉Ｂ２で閉鎖することができる。
【００３２】
また、上部扉部Ｂ２’に形成された水平枠２４ｄが、ボックスパレット本体Ｂ１の補助壁２ｅに形成されたスリット２ｅ’に挿入されるとともに、ボックスパレット本体Ｂ１に形成された水平枠２ｆが、上部扉部Ｂ２’の外側壁２４ａに形成されたスリット２４ａ’に挿入されるように構成されているので、下部扉部Ｂ２”及び上部扉部Ｂ２’の縦方向の揺れを防止することができるので、安定した状態で、ボックスパレット本体Ｂ１を扉Ｂ２で閉鎖することができる。
【００３３】
図１１に示された実施例は、ボックスパレット本体Ｂ１の支柱２ａに形成された縦長溝２ｃの巾ｗを、下方が広く、上方に行くにしたがって、暫時、狭くなるように形成したものである。このように構成することにより、図３に示されているように、略水平状に倒された状態の扉Ｂ２を、ボックスパレット本体Ｂ１方向に回動させて、下部扉部Ｂ２”の両側に形成された外側壁２３ａを、該外側壁２３ａの下方から順次、ボックスパレット本体Ｂ１の支柱２ａに形成された縦長溝２ｃに挿入する際に、下部扉部Ｂ２”の外側壁２３ａの下部を、確実に、且つ、迅速に、ボックスパレット本体Ｂ１の支柱２ａに形成された縦長溝２ｃに挿入することができるとともに、順次、下部扉部Ｂ２”及び上部扉部Ｂ２’の左右方向の位置を矯正しながら、確実に、且つ、迅速に、ボックスパレット本体Ｂ１を扉Ｂ２で閉鎖することができる。
【００３４】
次に、主として、図１、図３、図１０、図１２及び図１３を用いて、下部扉部Ｂ２”及び上部扉部Ｂ２’のボックスパレット本体Ｂ１へのロック手段について説明する。なお、ロック手段の構成は同じであるので、１つのロック手段についてのみ説明する。
【００３５】
図１に示されているように、上部扉部Ｂ２’の中央領域２５を除いて、下部扉部Ｂ２”及び上部扉部Ｂ２’の外壁面には、縦横に走るリブ２６が形成されている。上部扉部Ｂ２’或いは下部扉部Ｂ２”のボックスパレット本体Ｂ１の支柱２ａ側の端に形成された巾広の縦リブ２６ａ、該巾広の縦リブ２６ａに隣接した巾狭の縦リブ２６ｂ、及び、巾広の縦リブ２６ａと巾狭の縦リブ２６ｂを連結する上下方向に形成された横リブ２６ｃ、２６ｄにより、箱型の空間部が形成されている。巾広の縦リブ２６ａには、巾広の縦リブ２６ａを貫通する方形状の横孔２６ａ’が形成されている。該横孔２６ａ’に対応するボックスパレット本体Ｂ１の支柱２ａには、巾広の縦リブ２６ａ側に開口を有する、上記方形状の横孔２６ａ’と同様の横孔２７が形成されている。
【００３６】
２８は、巾広の縦リブ２６ａに形成された横孔２６ａ’に挿入された挿入部２８ａと指を入れることができる凹部２８ｂ’を有する把手部２８ｂとからなるスライド部材であり、２８ｃは、把手部２８ｂの挿入部２８ａ側の側面に、挿入部２８ａと略平行に突設されたフック部材である。図１２に示されているように、スライド部材２８が、左方向に位置している時には、挿入部２８ａの先端が、ボックスパレット本体Ｂ１の支柱２ａに形成された横孔２７から抜け出ており、下部扉部Ｂ２”或いは上部扉部Ｂ２’が、ボックスパレット本体Ｂ１に対してロックされていない状態にある。また、スライド部材２８を、図１２に示されている状態から、右方向にスライドさせて、図１３に示されている状態にした際には、スライド部材２８の挿入部２８ａの先端部が、ボックスパレット本体Ｂ１の支柱２ａに形成された横孔２７に挿入されて、下部扉部Ｂ２”或いは上部扉部Ｂ２’が、ボックスパレット本体Ｂ１に対してロックされるとともに、フック部材２８ｃの先端に形成された鉤部２８ｃ’が、巾広の縦リブ２６ａに形成された切り欠き部２６ａ”に係止されて、スライド部材２８が、簡単に、左方向に移動することが防止されるように構成されている。
【００３７】
下部扉部Ｂ２”或いは上部扉部Ｂ２’が、ボックスパレット本体Ｂ１に対してロックされた状態から、このロックを解除する際には、フック部材２８ｃを下方に押し、鉤部２８ｃ’を、巾広の縦リブ２６ａに形成された切り欠き部２６ａ”から外した後に、スライド部材２８を、左方向に移動させて、スライド部材２８の挿入部２８ａの先端を、ボックスパレット本体Ｂ１の支柱２ａに形成された横孔２７から抜き出すことにより行う。
【００３８】
下部扉部Ｂ２”及び上部扉部Ｂ２’のボックスパレット本体Ｂ１へのロック手段は、下部扉部Ｂ２”及び上部扉部Ｂ２’に適当数、配設することができる。本実施例においては、下部扉部Ｂ２”の両側に、それぞれ、２個、上部扉部Ｂ２’の両側に、それぞれ、１個、配設された例が示されている。なお、２８ｄは、スライド方向に沿って挿入部２８ａに突設された複数の凸条であり、該凸条２８ｄが挿入可能な凹溝（図示されていない。）が、巾広の縦リブ２６ａの横孔２６ａ’側の内面及び支柱２ａの横孔２７側の内面に形成されている。このような、凸条２８ｄ及び凹溝を形成することにより、スライド部材２８の上下方向に振れを減少させることができるとともに、スライド部材２８のスムースなスライドが可能となる。
【００３９】
底部１の開口側の側壁２に沿った垂直断面図である図１４に示されているように、底部１の開口側には、底部１の水平面１ａより高い段部１ｂが形成されており、段部１ｂと水平面１ａとの間には、傾斜面或いは所定の曲率半径を有する大きなアール面１ｃが形成されている。このように、底部１の開口側に、傾斜面或いは所定の曲率半径を有する大きなアール面１ｃを形成することにより、図３に示されているように、扉Ｂ２全体を略水平状に倒して、ボックスパレットＢの開口から、ボックスパレットＢに収容された物品を取り出す際に、取り出される物品が、従来のボックスパレットＢのように、段部１ｂと底部１の水平面１ａとに形成された角部に引っ掛かるようなことがなく、ボックスパレットＢに形成された開口から、物品をスムースに取り出すことができる。
【００４０】
図１〜図３、図９及び図１０において、２９は、相対する側壁２の上端部に、所定の間隔を置いて形成された凹部であり、該凹部２９には、水平杆３０が架橋されている。ボックスパレットＢを運搬する場合には、この水平杆３０にスリングやフック等を掛けて、クレーン等により持ち上げて、車等に載置して運搬する。
【００４１】
図１５には、上述したボックスパレットＢの別の実施例が示されており、この実施例においては、扉Ｂ２により閉鎖されるボックスパレット本体Ｂ１の開口を、逆台形状に形成したものであり、該逆台形状の開口に合わせて、図１５に示されているように、下部扉部Ｂ２”及び上部扉部Ｂ２’も、逆台形状に形成されている。このように、ボックスパレット本体Ｂ１の開口を逆台形状に形成することにより、相対する側壁２の支柱２ａの扉Ｂ２側の巾ｗ’を、広くすることができるので、ボックスパレット本体Ｂ１の強度を増すことができる。なお、上記の変更以外は、上述した実施例に同じであるので、その説明は省略する。
【００４２】
【発明の効果】
本発明は、以上説明した構成を有しているので、以下に記載する効果を奏するものである。
【００４３】
下部扉及び上部扉部に形成された外側壁が、ボックスパレット本体に形成された縦長溝に挿入されるとともに、ボックスパレット本体に形成された補助壁が、下部扉部及び上部扉部に形成された縦長溝に挿入されるように構成されているので、ボックスパレット本体の扉による閉鎖を、確実に、且つ、迅速に行うことができるとともに、下部扉部及び上部扉部の横方向の揺れを防止することができるので、安定した状態で、ボックスパレット本体を扉で閉鎖することができる。
【００４４】
上部扉部に形成された水平枠が、ボックスパレット本体に形成されたスリットに挿入されるとともに、ボックスパレット本体に形成された水平枠が、上部扉部の外側壁に形成されたスリットに挿入されるように構成されているので、下部扉部及び上部扉部の縦方向の揺れを防止することができるので、安定した状態で、ボックスパレット本体を扉で閉鎖することができる。
【００４５】
ボックスパレット本体に形成された縦長溝の巾を、下方が広く、上方に行くにしたがって、暫時、狭くなるように形成したので、下部扉部の外側壁の下部を、確実に、且つ、迅速に、ボックスパレット本体に形成された縦長溝に挿入することができるとともに、順次、下部扉部及び上部扉部の左右方向の位置を矯正しながら、確実に、且つ、迅速に、ボックスパレット本体を扉で閉鎖することができる。
【００４６】
ボックスパレット本体の開口を、逆台形状に形成したので、ボックスパレット本体の強度を増すことができる。
【図面の簡単な説明】
【図１】図１は本発明のボックスパレットの斜視図である。
【図２】図２は同じく本発明のボックスパレットの斜視図である。
【図３】図３は同じく本発明のボックスパレットの斜視図である。
【図４】図４は本発明のボックスパレットを構成する扉等の拡大斜視図である。
【図５】図５は本発明のボックスパレットの扉をボックスパレット本体に取り付ける手段を説明するための拡大分解斜視図である。
【図６】図６は同じく本発明のボックスパレットの扉をボックスパレット本体に取り付ける手段を説明するための拡大分解斜視図である。
【図７】図７は本発明のボックスパレットの扉を構成する上部扉部と下部扉部とを連結する連結手段を説明するための拡大分解斜視図である。
【図８】図８は本発明のボックスパレットの扉を構成する上部扉部と下部扉部とを連結する連結手段を説明するための連結部分の垂直断面図である。
【図９】図９は本発明のボックスパレットの扉とボックスパレット本体との嵌合手段を説明するためのボックスパレット本体の一部拡大斜視図である。
【図１０】図１０は本発明のボックスパレットの扉とボックスパレット本体との嵌合手段を説明するための上部扉部の垂直断面を含む側面図である。
【図１１】図１１は本発明の他の実施例のボックスパレットのボックスパレット本体の一部正面図である。
【図１２】図１２は本発明のボックスパレットの扉とボックスパレット本体とのロック手段を説明するための一部拡大斜視図である。
【図１３】図１３は同じく本発明のボックスパレットの扉とボックスパレット本体とのロック手段を説明するための一部拡大斜視図である。
【図１４】図１４は本発明のボックスパレットの底部の開口側の側壁に沿った垂直断面図である。
【図１５】図１５は本発明の他の実施例のボックスパレットの斜視図である。
【符号の説明】
Ｂ・・・・・・・・・ボックスパレット
Ｂ１・・・・・・・・ボックスパレット本体
Ｂ２・・・・・・・・扉
Ｂ２’・・・・・・・上部扉部
Ｂ２”・・・・・・・下部扉部
１・・・・・・・・・底部
２・・・・・・・・・側壁
【図１】
0004226152.tif 000002
【図２】
0004226152.tif 000003
【図３】
0004226152.tif 000004
【図４】
0004226152.tif 000005
【図５】
0004226152.tif 000006
【図６】
0004226152.tif 000007
【図７】
0004226152.tif 000008
【図８】
0004226152.tif 000009
【図９】
0004226152.tif 000010
【図１０】
0004226152.tif 000011
【図１１】
0004226152.tif 000012
【図１２】
0004226152.tif 000013
【図１３】
0004226152.tif 000014
【図１４】
0004226152.tif 000015
【図１５】
0004226152.tif 000016